(57)【特許請求の範囲】
【請求項１】
複数種類の記録動作が可能な撮像装置であって、
ユーザの操作に応じて第１の記録動作のための第１のアスペクト比を設定する第１の設定手段と、
ユーザの操作に応じて第２の記録動作のための第２のアスペクト比を設定する第２の設定手段と、
前記第１のアスペクト比でもって表示部への画像表示を行なう表示制御手段と、
前記画像表示により前記表示部に表示されている画像において範囲をユーザに指定させる指定手段と、
前記第１または第２の記録動作で撮影された画像に、前記指定手段で指定された範囲を用いて画像処理を施す画像処理手段と、
前記第２の記録動作での撮影を前記画像処理を施しながら行う場合は、前記第２の記録動作におけるアスペクト比を前記第１のアスペクト比に変更して撮影を実行し、そうでない場合は前記第２のアスペクト比で前記第２の記録動作による撮影を実行する実行手段と、を備えることを特徴とする撮像装置。
【請求項２】
前記第１の記録動作は静止画撮影であり、前記第２の記録動作は動画撮影であることを特徴とする請求項１に記載の撮像装置。
【請求項３】
前記表示制御手段による前記表示部への画像表示は、電子ビューファインダを提供するリアルタイムな動画表示であることを特徴とする請求項１または２に記載の撮像装置。
【請求項４】
前記動画撮影では、動画の記録画質とアスペクト比が対応付けられており、
前記第２の設定手段では動画の記録画質を設定することにより前記第２のアスペクト比を設定し、
前記実行手段では、前記第２の記録動作での撮影を前記画像処理を施しながら行う場合に、前記第１のアスペクト比に対応した動画の記録画質で前記第２の記録動作による撮影を実行する、ことを特徴とする請求項２に記載の撮像装置。
【請求項５】
前記指定手段により前記範囲が指定された後に前記第１の記録動作のアスペクト比の設定が変更された場合には、変更後のアスペクト比にしたがって、前記範囲を自動的に修正する修正手段を更に備えることを特徴とする請求項１乃至４のいずれか１項に記載の撮像装置。
【請求項６】
複数種類の記録動作が可能な撮像装置の制御方法であって、
第１の設定手段が、ユーザの操作に応じて第１の記録動作のための第１のアスペクト比を設定する工程と、
第２の設定手段が、ユーザの操作に応じて第２の記録動作のための第２のアスペクト比を設定する工程と、
表示制御手段が、前記第１のアスペクト比でもって表示部への画像表示を行なう工程と、
指定手段が、前記画像表示により前記表示部に表示されている画像において範囲をユーザに指定させる工程と、
画像処理手段が、前記第１または第２の記録動作で撮影された画像に、指定された前記範囲を用いて画像処理を施す工程と、
実行手段が、前記第２の記録動作での撮影を前記画像処理を施しながら行う場合は、前記第２の記録動作におけるアスペクト比を前記第１のアスペクト比に変更して撮影を実行し、そうでない場合は前記第２のアスペクト比で前記第２の記録動作による撮影を実行する工程と、を備えることを特徴とする撮像装置の制御方法。
【請求項７】
コンピュータを、請求項１乃至５のいずれか１項に記載された撮像装置の各手段として機能させるためのプログラム。
【請求項８】
コンピュータを、請求項１乃至５のいずれか１項に記載された撮像装置の各手段として機能させるためのプログラムを格納したコンピュータが読み取り可能な記録媒体。
【発明の詳細な説明】
【技術分野】
【０００１】
本発明は、静止画撮影と動画撮影といったような複数種類の記録動作が可能な撮像装置、及びその制御方法に関する。
【背景技術】
【０００２】
従来、静止画のアスペクト比と動画のアスペクト比をそれぞれ独立に設定することができる撮像装置が提案されている（特許文献１）。特許文献１では、同一のスルー画像の表示画面において、静止画のアスペクト比と動画のアスペクト比との双方を識別可能に表示することが記載されている。
【０００３】
また、撮像される画像の一部の領域に対して画像処理を施すことも行われている。特許文献２では、車載カメラによる車両周辺の撮像画像をモニタ画面に表示するとき、撮像画像の一部エリアと前記一部エリアを除いた他エリアとで画像表示の鮮鋭度を異ならせる技術が記載されている。
【先行技術文献】
【特許文献】
【０００４】
【特許文献１】特開２００６−１４８２７３号公報
【特許文献２】特許第３９４１９２６号
【発明の概要】
【発明が解決しようとする課題】
【０００５】
静止画のアスペクト比と動画のアスペクト比をそれぞれ独立に設定することができる撮像装置（特許文献１）で、画像の一部の領域に対して視覚的効果を加える画像効果処理（特許文献２）を、ユーザが指定した位置（領域）に基づいて施すことを考える。ここで、画像効果処理を施すための位置（領域）を静止画と動画で共通に指定するものとすると、静止画と動画で設定されたアスペクト比が異なる場合に、静止画と動画とで画像処理を施した結果の印象が食い違う可能性がある。すなわち、画像効果処理を施すための位置を指定した際のユーザの意図とは異なる画像処理結果となる画像が記録されてしまう。これは、静止画と動画のアスペクト比が異なるために、画像効果処理のために指定した位置が静止画と動画とで異なってしまうことに起因する。
【０００６】
本発明は上述した課題に鑑みてなされたものであり、ユーザが指定した位置に基づいて画像効果処理を施す撮影を、異なる種類の記録動作（例えば静止画と動画）において、ユーザの意図どおりに実行させ得る撮像装置を提供することを目的とする。
【課題を解決するための手段】
【０００７】
上記の目的を達成するための本発明の一態様による撮像装置は以下の構成を備える。すなわち、
複数種類の記録動作が可能な撮像装置であって、
ユーザの操作に応じて第１の記録動作のための第１のアスペクト比を設定する第１の設定手段と、
ユーザの操作に応じて第２の記録動作のための第２のアスペクト比を設定する第２の設定手段と、
前記第１のアスペクト比でもって表示部への画像表示を行なう表示制御手段と、
前記画像表示により前記表示部に表示されている画像において範囲をユーザに指定させる指定手段と、
前記第１または第２の記録動作で撮影された画像に、前記指定手段で指定された範囲を用いて画像処理を施す画像処理手段と、
前記第２の記録動作での撮影を前記画像処理を施しながら行う場合は、前記第２の記録動作におけるアスペクト比を前記第１のアスペクト比に変更して撮影を実行し、そうでない場合は前記第２のアスペクト比で前記第２の記録動作による撮影を実行する実行手段と、を備える。
【発明の効果】
【０００８】
本発明によれば、ユーザが指定した位置に基づいて画像効果処理を施す撮影を、異なる種類の記録動作（例えば静止画と動画）において、ユーザの意図どおりに実行させることが可能となる。
【図面の簡単な説明】
【０００９】
【図１Ａ】本発明の撮像装置の一例としてのデジタルカメラの外観図。
【図１Ｂ】本実施形態のデジタルカメラの構成を示すブロック図。
【図２】デジタルカメラ１００の全体的な動作のフローチャート。
【図３Ａ】デジタルカメラ１００の静止画記録モードのフローチャート。
【図３Ｂ】デジタルカメラ１００の静止画記録モードのフローチャート。
【図４】デジタルカメラ１００のアスペクト比切替処理を示すフローチャート。
【図５】デジタルカメラ１００の動画ボタン撮影処理を示すフローチャート。
【図６】デジタルカメラ１００の動画記録モード処理を示すフローチャート。
【図７】実施形態の効果を説明する図。
【発明を実施するための形態】
【００１０】
以下、添付の図面を参照して本発明の好適な実施形態の一例について説明する。尚、以下に説明する実施形態では、本発明による装置、方法を静止画像と動画といった複数種類の記録動作による撮影が可能なデジタルカメラである撮像装置に適用した場合を例にして説明する。
【００１１】
《デジタルカメラの構成について》
図１Ａに本実施形態による撮像装置としてのデジタルカメラの外観図を示す。表示部２８は例えば液晶パネル（ＬＣＤ）等を具備し、画像や各種情報を表示するのに用いられる。シャッターボタン６１は撮影指示を行うための操作ボタンである。動画ボタン６３は動画撮影を開始・終了の指示を行うための操作ボタンである。モード切替スイッチ６０は各種モードを切り替えるための操作部である。コネクタ１１２は接続ケーブル１１１とデジタルカメラ１００とを接続するためのコネクタである。操作部７０はユーザからの各種操作を受け付ける各種スイッチ、ボタン、タッチパネル等の操作部材を含む。コントローラホイール７３は操作部７０に含まれる回転操作可能な操作部材である。電源スイッチ７２は、デジタルカメラ１００における電源のオン、オフを切り替える。記録媒体２００は、メモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１を開閉するための蓋である。
【００１２】
図１Ｂは、本実施形態によるデジタルカメラ１００の構成例を示すブロック図である。図１Ｂにおいて、撮影レンズ１０３はズームレンズ、フォーカスレンズを含むレンズ群である。シャッター１０１は絞り機能を備えた機械的なシャッターである。撮像部２２は光学像を電気信号に変換するＣＣＤやＣＭＯＳ素子等で構成される撮像素子を有する。Ａ／Ｄ変換器２３は、撮像部２２から出力されるアナログ信号をデジタル信号に変換する。レンズバリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１３】
画像処理部２４は、Ａ／Ｄ変換器２３からのデータ、又は、メモリ制御部１５からのデータに対して所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１５】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、スルー画像表示を行なうことができる。こうして、表示部２８はリアルタイムな動画表示を行って電子ビューファインダとしての機能を提供する。
【００１６】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムを含む。
【００１７】
システム制御部５０は、デジタルカメラ１００全体を制御する。システム制御部５０はコンピュータを含み、そのコンピュータが前述した不揮発性メモリ５６に記録されたプログラムを実行することで、後述する本実施形態の各処理を実現する。システムメモリ５２は、例えばＲＡＭによって構成され、システム制御部５０の動作用の定数、変数、不揮発性メモリ５６から読み出したプログラム等を展開するのに用いられる。また、システム制御部５０はメモリ３２、Ｄ／Ａ変換器１３、表示部２８等を制御することにより表示制御も行う。システムタイマー５３は各種制御に用いる時間や、内蔵された時計の時間を計測する。
【００１８】
モード切替スイッチ６０、第１シャッタースイッチ６１、第２シャッタースイッチ６２、動画ボタン６３、操作部７０はシステム制御部５０に各種の動作指示を入力するためのユーザインターフェースである。
【００１９】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、静止画記録モードに含まれるこれらのモードのいずれかに直接切り替えられる。あるいは、モード切替スイッチ６０で静止画記録モードに一旦切り換えた後に、静止画記録モードに含まれるこれらのモードのいずれかに、他の操作部材を用いて切り替えるようにしてもよい。同様に、動画記録モードにも複数のモードが含まれていてもよい。 
【００２０】
シャッターボタン６１は第１シャッタースイッチ６２ａと第２シャッタースイッチ６２ｂとを含む。第１シャッタースイッチ６２ａは、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。第２シャッタースイッチ６２ｂは、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２１】
動画ボタン６３は、動画撮影開始、終了の指示を行う。動画開始時にはシステム制御部５０は、ＡＦ（オートフォーカス）処理、ＡＥ（自動露出）処理、ＡＷＢ（オートホワイトバランス）処理等の動作を行う。そして、システム制御部５０は、撮像部２２からの信号読み出しを行い、メモリ制御部１５を介して、メモリ３２に書き込むと同時に記録媒体２００にも書き込むことで、動画データの書き込み（動画記録）をする。動画終了時には、メモリ３２に保存されている残りの動画データを記録媒体２００に書き込み、動画記録を終了する。
【００２２】
操作部７０の各操作部材は、表示部２８に表示される種々の機能アイコンを選択操作することなどにより、適宜機能が割り当てられ、各種機能ボタンとして作用する。機能ボタンとしては、例えば、終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２３】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生する。このパルス信号によって、コントローラホイール７３が回転操作された角度や、何回転したかなどを判定することができる。システム制御部５０は、このパルス信号に基づいてデジタルカメラ１００の各部を制御する。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２５】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２６】
《デジタルカメラ１００の全体動作について》
図２は、本実施形態のデジタルカメラ１００の全体的な動作を説明するフローチャートである。このフローチャートにおける各処理は、システム制御部５０が不揮発性メモリ５６等に格納されたプログラムをシステムメモリ５２に展開して実行することにより実現される。
【００２７】
電源スイッチ７２が操作され電源がオンに切り替わると、Ｓ２０１においてシステム制御部５０は、フラグや制御変数等を初期化する。続いて、Ｓ２０２において、システム制御部５０は、記録媒体２００に記録されているファイルに関する管理処理を開始する。Ｓ２０３以降では、モード切替スイッチ６０がどのモードに切り替えられているかを判定し、それに応じた動作を実行する。Ｓ２０３でモード切替スイッチ６０が静止画記録モード処理に切替えられていると判定した場合、処理はＳ２０４へ進み、システム制御部５０は、静止画記録モード処理を実行する。静止画記録モード処理については図３Ａ，図３Ｂを用いて後述する。また、Ｓ２０５でモード切替スイッチ６０が動画記録モードに切替えられていると判定された場合、処理はＳＳ２０６へ進み、システム制御部５０は、動画記録モード処理を実行する。動画記録モード処理については図６を用いて後述する。Ｓ２０７でモード切替スイッチ６０が再生モードに切り替えられていると判定された場合、処理はＳ２０８へ進み、システム制御部５０は再生モード処理を実行する。
【００２８】
また、その他のモードに設定されていた場合、処理はＳ２０９へ進み、システム制御部５０は選択されたモードに応じた処理を実行する。その他のモードとしては例えば記録媒体２００に格納されたファイルの送信を行う送信モード処理、外部機器からファイルを受信して記録媒体２００に格納する受信モード処理などが含まれる。Ｓ２０４、Ｓ２０６、Ｓ２０８、Ｓ２０９のうちのモード切替スイッチ６０によって設定されたモードに対応した処理を実行した後、処理はＳ２１０へ進む。Ｓ２１０において、システム制御部５０は電源スイッチ７２の設定位置を判断する。電源スイッチ７２が電源オンに設定されていれば、Ｓ２０３に処理を戻し、上述した処理を繰り返す。一方、電源スイッチ７２が電源オフに設定されていたならば、処理はＳ２１０からＳ２１１へ進み、システム制御部５０は終了処理を行う。終了処理には、例えば以下の処理が含まれる。すなわち、表示部２８の表示を終了状態に変更し、レンズバリア１０２を閉じて撮像部を保護する。また、フラグや制御変数等を含むパラメータや設定値、設定モードを不揮発性メモリ５６に記録し、電源供給が不要な部分への電源を遮断する。Ｓ２１１の終了処理が完了すると、本処理を終了し、デジタルカメラ１００は電源ＯＦＦ状態へと移行する。
【００２９】
《静止画記録モード処理について》
図３Ａ、図３Ｂは静止画記録モード処理を示すフローチャートであり、前述した図２のＳ２０４の処理の詳細である。この静止画記録モード処理における各処理は、システム制御部５０が不揮発性メモリ５６等に格納されたプログラムをシステムメモリ５２に展開して実行することにより実現される。尚、図３Ａ，図３Ｂに示される静止画記録モード処理は、モード切替スイッチ６０により他のモードへの切替が行われた場合や電源スイッチ７２がＯＦＦにセットされた場合に、割り込み処理等により終了するものとする。
【００３０】
システム制御部５０は、静止画記録モードを開始すると、Ｓ３０１において撮影モードを確定する。撮影モードの確定は、不揮発性メモリ５６より前回の静止画記録モード終了時における撮影モードを取得してシステムメモリ５２に格納することでなされる。本実施形態のデジタルカメラ１００は、静止画記録モードに含まれる撮影モードとして例えば以下のような撮影モードを有する。
【００３１】
オートモード：カメラの各種パラメータが、計測された露出値に基づいてデジタルカメラ１００に組み込まれたプログラムにより自動的に決定されるモード。
マニュアルモード：カメラの各種パラメータをユーザが自由に変更可能なモード。
シーンモード：撮影シーンに適したシャッター速度や絞り値、ストロボ発光状態、感度設定等の組み合わせが自動で設定される。
【００３２】
尚、シーンモードには、例えば更に以下のようなモードが含まれる。
ポートレートモード：背景をぼかして人物を浮き立たせるようにして人物撮影に特化したモード。
夜景モード：人物にストロボ光をあて背景を遅いシャッター速度で記録する、夜景シーンに特化したモード。
風景モード：広がりのある風景シーンに特化したモード。
ナイト＆スナップモード：三脚なしで夜景と人物をきれいに撮るのに適したモード。
キッズ＆ペットモード：よく動き回る子供やペットをシャッターチャンスを逃さず撮影可能にしたモード。
新緑＆紅葉モード：新緑等の木々や葉を色鮮やかに撮影するのに適したモード。
パーティーモード：蛍光灯や電球のもとで、手振れを抑えて被写体に忠実な色味で撮影するモード。
スノーモード：雪景色をバックにしても人物が暗くならず、青みも残さず撮影するモード。
ビーチモード：太陽光の反射の強い海面や砂浜でも、人物などが暗くならずに撮影可能なモード。
花火モード：打ち上げ花火を最適な露出で鮮やかに撮影するためのモード。
水族館モード：屋内の水槽内の魚などを撮影するのに適した感度、ホワイトバランス、色味を設定するモード。
水中モード：水中に最適なホワイトバランスに設定し、青みを押さえた色合いで撮影するモード。
ジオラマ風モード：指定した範囲の上下をボカして遠距離感があるように見せる画像効果処理のあるモード。例えば特願２０１０−０２４６０２号公報に記載されたモードである。
【００３３】
撮影モードが確定されると、続くＳ３０２において、システム制御部５０は、撮像部２２からの画像データを表示するスルー表示を行う。スルー表示とは、撮像部２２で撮像されている画像を記録媒体２００に記録することなくほぼリアルタイムの動画で表示部２８に表示するもの（電子ビューファインダ）で、これを見て撮影者は画角の確認や撮影のタイミングを計ることができる。なお、Ｓ３０２によるスルー表示（電子ビューファインダ）では、静止画記録に対して設定されているアスペクト比で表示される。この際、後述のＳ４０５と同様に、たとえばピラーボックスやサイドブラックを用いてアスペクト比を示すような表示が行なわれる。
【００３４】
Ｓ３０３において、システム制御部５０は、電池等により構成される電源部３０の残容量や、記録媒体２００の有無や残容量がデジタルカメラ１００の動作に問題があるか否かを、電源制御部８０を用いて判定する。問題があるならば、処理はＳ３０４に進み、システム制御部５０は、表示部２８などを用いて画像や音声により所定の警告表示を行い、処理をＳ３０１に戻す。電源部３０や記録媒体２００の状態に問題が無いならば、処理はＳ３０５に進む。
【００３５】
Ｓ３０５において、システム制御部５０は、撮影モード切替操作が行われたか否かを判定する。撮影モード切替操作とは、静止画記録モード内における、オートモード、マニュアルモード、各種シーンモードの中から、現在設定されている撮影モードを他の撮影モードに切り替える操作である。これは、操作部７０を操作し、撮影モード変更メニュー画面などを開いて任意の撮影モードを選択することなどにより行われる。撮影モード切替操作が行われたと判定された場合、処理はＳ３０６に進み、そうでない場合はＳ３０７に進む。Ｓ３０６において、システム制御部５０は、撮影モード切替操作に応じた撮影モードに変更する。
【００３６】
Ｓ３０７において、システム制御部５０は、現在の撮影モードが位置指定付き画像効果処理が必要なモードであるか否かを判定する。位置指定付き画像効果処理が必要なモードとは、ユーザが指定した領域に基づいて、撮像された画像の一部の領域について画像効果処理を施すモードのことである。例えば、シーンモードの一つである上述のジオラマ風モードがこのような位置指定付き画像効果処理に該当する。位置指定付き画像効果処理が必要なモードであると判定されると（例えば現在の撮影モードがジオラマ風モードであると判定すると）処理はＳ３０８に進み、そうでない場合はＳ３１１に進む。
【００３７】
Ｓ３０８において、システム制御部５０は、撮像された画像（ここではスルー画像）の指定された一部の領域（以下、画像効果位置ともいう）に基づいて画像効果処理を施す。例えばジオラマ風モードであれば、指定された一部の領域（範囲）の外部をぼかす処理を施す。Ｓ３０９において、システム制御部５０は、操作部７０を介して画像効果処理のために指定されている画像効果位置を変更する操作が行われたか否かを判定する。画像効果位置を変更する操作が行われたと判定されると、処理はＳ３１０に進み、行われていないと判定されるとＳ３１１に進む。Ｓ３１０において、システム制御部５０は、画像効果位置を変更する操作に応じて、画像効果位置を変更し、変更後の位置を不揮発性メモリに記録する。そして、変更後の画像効果位置に基づいて、撮像された画像（ここではスルー画像）に画像効果処理を施す。
【００３８】
Ｓ３１１において、システム制御部５０は、基本動画画質設定を変更する変更操作があったか否かを判定する。基本動画画質設定の変更操作があった場合には、処理はＳ３１２に進み、そうでない場合には処理はＳ３１５へ進む。基本動画画質設定の変更操作は、操作部７０を操作し、動画の画質変更メニューなどを開いて（表示部２８に表示させて）、任意の画質を選択する操作である。画質変更メニューでは、例えば、ＨＤ画質（１２８０×７２０ピクセル、アスペクト比１６：９）／ＳＤ画質（６４０×４８０ピクセル、アスペクト比４：３）／ミニ画質（３２０×２４０、アスペクト比４：３）の中から任意の画質を選択することが可能である。また、このように、動画画質にはアスペクト比が対応付けられている。
【００３９】
Ｓ３１２において、システム制御部５０は、現在の撮影モードが位置指定付き画像効果処理が必要なモードであるか否かを判定する。この判定の処理は上述したＳ３０７の処理と同様である。現在の撮影モードが画像効果処理が必要なモードではないと判定すると処理はＳ３１３に進み、画像効果処理が必要なモードであると判定すると処理はＳ３１４に進む。
【００４０】
Ｓ３１３において、システム制御部５０は、基本動画画質設定の変更操作に応じて基本動画画質設定を変更し、変更後の基本動画画質設定を不揮発性メモリ５６に記録する。Ｓ３１４では、システム制御部５０は、基本動画画質設定の変更操作を無効とする（無視する）。この時、操作が無効となった旨を表示部２８に表示しても良い。これは、静止画記録モードにおける位置指定付き画像効果処理が必要なモードでは、動画ボタン６３の操作で動画撮影を行った場合、動画の画質は静止画用に設定されているアスペクト比に基づいた画質に自動設定されてしまうためである。この場合基本動画画質設定を変更してもその時点では反映されないため、ユーザの混乱を招くことを防止するために、本実施形態のデジタルカメラ１００では、そのような基本動画画質設定の変更操作を行わせないようにしている。
【００４１】
次に、Ｓ３１５において、システム制御部５０は、スルー表示される画像信号中に人の顔が存在するか否かを検出する顔検出を行う。システム制御部５０は、顔検出処理において人の顔が検出された場合、画像信号中において検出した顔の位置座標、サイズ（幅、高さ）、検出個数、信頼性係数等を顔情報としてシステムメモリ５２に記憶する。顔検出処理において顔が検出されなかった場合はシステムメモリ５２内の位置座標、サイズ（幅、高さ）、検出個数、信頼性係数等の領域に０を設定する。
【００４２】
続いてＳ３１６において、システム制御部５０は、ユーザによるアスペクト比切替操作があったか否かを判定する。アスペクト比切替操作があったと判定すると処理はＳ３１７に進み、システム制御部５０は、アスペクト比切替処理を行う。アスペクト比切替操作とは、例えば、ユーザが操作部７０を操作することによって、アスペクト比切替メニューを開き、任意のアスペクト比を選択する操作である。選択可能なアスペクト比としては、４：３、３：２、１６：９、１：１などがある。なお、現在の撮影モードが位置指定付き画像効果処理を必要とするモード（例えばジオラマ風モード）である場合には、動画のアスペクト比と共通とすることのできるアスペクト比（４：３と１６：９）に選択肢を制限するとよい。アスペクト比切替処理の詳細については、図４を用いて後述する。Ｓ３１７が終了すると処理はＳ３１８へ進む。
【００４３】
続いてＳ３１８において、システム制御部５０は、第１シャッタースイッチ信号ＳＷ１がＯＮしているか否かを判定する（撮影準備指示受付）。第１シャッタースイッチ信号ＳＷ１がＯＦＦの場合は、処理はＳ３１９に進む。一方、第１シャッタースイッチ信号ＳＷ１がＯＮの場合は、処理はＳ３２１に進む。
【００４４】
Ｓ３１９では、システム制御部５０は、動画ボタン６３を操作することによる動画撮影指示があったか否かを判定する。動画ボタン６３からの動画撮影指示があった場合はＳ３２０に進む。動が撮影指示がなかった場合は、処理はＳ３０５に戻り、上述の処理が繰り返される。Ｓ３２０では、システム制御部５０は、動画ボタン撮影処理（動画ボタン６３の操作によって行われる動画撮影処理）を行う。動画ボタン撮影処理については図５を用いて後述する。
【００４５】
Ｓ３２１において、システム制御部５０は、撮影準備動作を行う。システム制御部５０は、測距処理を行って撮影レンズ１０３の焦点を被写体に合わせるとともに（オートフォーカス処理）、測光処理を行って絞り値及びシャッタースピードを決定する（露出決定処理）。尚、測光処理において、必要であればフラッシュの設定も行われる。このとき、Ｓ３１５において顔が検出されていれば、検出した顔の範囲で測距を行う顔ＡＦを行うようにすることも可能である。
【００４６】
次に、Ｓ３２２、Ｓ３２３において、システム制御部５０は、第１シャッタースイッチ信号ＳＷ１と第２シャッタースイッチ信号ＳＷ２のＯＮ／ＯＦＦ状態を判定する。第１シャッタースイッチ信号ＳＷ１がＯＮした状態で第２シャッタースイッチ信号ＳＷ２がＯＮになると、処理はＳ３２２からＳ３２４へ進む。第１シャッタースイッチ信号ＳＷ１がＯＦＦになると（第２シャッタースイッチ信号ＳＷ２がＯＮせずに、更に第１シャッタースイッチ信号ＳＷ１も解除された場合）、処理はＳ３２３からＳ３０５へ戻る。また、第１シャッタースイッチ信号ＳＷ１がＯＮ、第２シャッタースイッチ信号ＳＷ２がＯＦＦの間は、Ｓ３２２，Ｓ３２３の処理が繰り返される。
【００４７】
第２シャッタースイッチ信号ＳＷ２がＯＮになると、Ｓ３２４において、システム制御部５０は、表示部２８の表示状態をスルー表示から固定色表示状態（例えば黒一色の表示）に設定する。そして、Ｓ３２５において、システム制御部５０は、露光処理や現像処理を含む、設定されているアスペクト比での撮影処理を実行する。尚、露光処理では、撮像部２２、Ａ／Ｄ変換器２３を経て得られた画像データが、画像処理部２４及びメモリ制御部１５を介して、或いはＡ／Ｄ変換器２３から直接メモリ制御部１５を介して、メモリ３２に書き込まれる。また、現像処理では、システム制御部５０が、メモリ制御部１５を用いて、そして必要に応じて画像処理部２４を用いて、メモリ３２に書き込まれた画像データを読み出して各種処理を行う。この際、画像効果処理（位置指定付き画像効果処理を含む）が必要なモードであれば、画像データに対して画像効果処理を施す。また、設定されているアスペクト比での切り出しも行われる。
【００４８】
次に、システム制御部５０は、Ｓ３２６において、表示部２８に対し撮影処理で得られた画像データのクイックレビュー表示を行う。クイックレビュー表示とは、撮影画像の確認のために、被写体の撮影後記録媒体への記録前に、予め決められた時間（レビュー時間）だけ画像データを表示部２８に表示する処理である。Ｓ３２７において、システム制御部５０は撮影処理で得られた画像データを画像ファイルとして記録媒体２００に対して書き込む記録処理を実行する。
【００４９】
Ｓ３２８において、システム制御部５０は、第２シャッタースイッチ信号ＳＷ２のＯＮ／ＯＦＦ状態を判定する。第２シャッタースイッチ信号ＳＷ２がＯＮの場合は、Ｓ３２８の判定を繰り返すことにより、第２シャッタースイッチ信号ＳＷ２がＯＦＦになるのを待つ。この間、上記クイックレビュー表示を継続させる。即ち、Ｓ３２７の記録処理が終了した際に、第２シャッタースイッチ信号ＳＷ２が放されるまで、表示部２８におけるクイックレビュー表示が継続される。このように構成することにより、ユーザは、シャッターボタン６１の全押し状態を継続することで、クイックレビュー表示を用いた撮影画像データの確認を入念に行うことが可能となる。Ｓ３２８において、第２シャッタースイッチ信号ＳＷ２がＯＦＦであると判定されると、すなわちユーザがシャッターボタン６１から手を放すなどして全押し状態が解除されると、処理はＳ３２９へ進む。
【００５０】
Ｓ３２９において、システム制御部５０は、予め定められたクイックレビュー表示のレビュー時間が経過したか否かを判定する。レビュー時間が経過していなければレビュー時間が経過するのを待ち、レビュー時間が経過すると処理はＳ３３０に進む。
【００５１】
Ｓ３３０において、システム制御部５０は、表示部２８の表示状態をクイックレビュー表示からスルー表示状態に戻す。この処理により、クイックレビュー表示によって撮影画像データを確認した後、表示部２８の表示状態は次の撮影のために撮像部２２からの画像データを逐次表示するスルー表示状態に自動的に切り替わることになる。
【００５２】
そして、Ｓ３３１において、システム制御部５０は、第１シャッタースイッチ信号ＳＷ１のＯＮ／ＯＦＦを判定し、第１シャッタースイッチ信号ＳＷ１がＯＮの場合はＳ３２２へ、ＯＦＦの場合はＳ３０５へ処理を戻す。即ち、シャッターボタン６１の半押し状態が継続している（第１シャッタースイッチ信号ＳＷ１がＯＮ）場合は、システム制御部５０は次の撮影に備える（Ｓ３２２）。一方、シャッターボタン６１が放された状態（第１シャッタースイッチ信号ＳＷ１がＯＦＦ）であったならば、システム制御部５０は、一連の撮影動作を終えて撮影待機状態に戻る（Ｓ３０５）。
【００５３】
《アスペクト比切替処理（Ｓ３１７）について》
図４はアスペクト比切替処理のフローチャートであり、前述した図３ＡのＳ３１７における処理の詳細である。このアスペクト比切替処理における各処理は、システム制御部５０が不揮発性メモリ５６等に格納されたプログラムをシステムメモリ５２に展開して実行することにより実現される。
【００５４】
Ｓ４０１において、システム制御部５０は、アスペクト比切替操作で選択されたアスペクト比が切替前のアスペクト比と同じか否かの判定を行う。選択されたアスペクト比が切替前のアスペクト比と異なる場合、すなわちアスペクト比が変更された場合、処理はＳ４０２に進む。一方、アスペクト比切替操作で選択されたアスペクト比と切替前のアスペクト比が同じ場合は、アスペクト比の変更は無いので本処理を終了する。
【００５５】
Ｓ４０２において、システム制御部５０は、静止画のアスペクト比をアスペクト比切替操作で選択されたアスペクト比に変更し、変更後のアスペクト比を不揮発性メモリ５６に記録する。次に、Ｓ４０４において、システム制御部５０は、表示部２８に表示されているスルー画像に対して、例えばピラーボックスやサイドブラックを表示することでＳ４０３で記録したアスペクト比を示す表示を行う。ピラーボックスやサイドブラックは半透過にしたり枠だけの表示にしたりしてアスペクト比を識別できるようにしてもよい。
【００５６】
Ｓ４０４において、システム制御部５０は、現在の撮影モードが位置指定付き画像効果処理を必要とするモードであるか否かを判定する。これは上述したＳ３０７の処理と同様である。現在の撮影モードが位置指定付き画像効果処理を必要とするモードではないと判定されるとアスペクト比変更処理を終了し、位置指定付き画像効果処理を必要とするモードであると判定されると処理はＳ４０５に進む。
【００５７】
Ｓ４０５において、システム制御部５０は、変更後のアスペクト比において、変更前のアスペクト比で設定されていた画像効果位置に対応する位置ｙ２を算出する。例えば、画像効果位置の縦方向（ｙ方向）の位置が指定されていた場合、位置ｙ２は以下の（式１）により算出される。
ｙ２＝Ｙ２×ｙ１／Ｙ１    …（式１）
ただし、
・変更前のアスペクト比での画像全体の縦方向のサイズ：Ｙ１
・変更前のアスペクト比で設定されていた画像効果位置の中心の、変更前のアスペクト比での画像全体に対するＹ方向の位置：ｙ１
・変更後のアスペクト比での画像全体の縦方向のサイズ：Ｙ２
・変更後のアスペクト比で設定される画像効果位置の中心の、変更後のアスペクト比での画像全体に対するＹ方向の位置：ｙ２
このようにして、アスペクト比の変化に対応して画像効果位置が自動的に修正される。なお、画像効果位置の横方向（Ｘ方向）の位置が指定されていた場合、上記の（式１）と同様の算出をＸ方向に対して行うことで、画像効果位置が修正される。
【００５８】
Ｓ４０６において、システム制御部５０は、Ｓ４０５で算出した画像効果位置情報により、表示部２８に表示されている画像（ここではスルー画像）上に画像効果をかけて表示部２８への表示を開始する。Ｓ４０７において、システム制御部５０は、Ｓ４０２で設定した変更後の静止画のアスペクト比に対応する動画画質を、修正動画画質として不揮発性メモリ５６に記録する。このような修正動画画質設定は、前述の基本動画画質設定とは別途に記録されるものであり、位置指定付き画像効果処理が必要なモードで動画の撮影が行われた場合に一時的に利用される。なお、静止画のアスペクト比に対応する動画画質としては、静止画のアスペクト比４：３に対しては前述のＳＤ画質が、静止画のアスペクト比１６：９に対しては前述のＨＤ画質が対応する。このようにすることで、静止画記録モードのうち、画像効果処理が必要なモードにおいては、静止画のアスペクト比と動画のアスペクト比が同じものとなる。
【００５９】
［動画ボタン撮影処理］
図５に、動画ボタン撮影処理のフローチャートを示す。動画ボタン撮影処理は前述の図３ＢにおけるＳ３２０の処理の詳細である。この処理における各処理は、システム制御部５０が不揮発性メモリ５６等に格納されたプログラムをシステムメモリ５２に展開して実行することにより実現される。
【００６０】
Ｓ５０１において、システム制御部５０は、現在の撮影モードが位置指定付き画像効果処理を必要とするモードであるか否かを判定する。これは図３ＡのＳ３０７の処理と同様である。現在の撮影モードが、位置指定付き画像効果処理が必要なモードであると判定されると処理はＳ５０２に進み、そうでないと判定されると処理はＳ５０３に進む。
【００６１】
Ｓ５０２において、システム制御部５０は、不揮発性メモリ５６に記録されている、静止画アスペクト比に対応した動画画質である、修正動画画質設定で動画の記録（動画撮影）を開始する。撮影された動画は記録媒体２００に記録される。一方Ｓ５０３では、システム制御部５０は、不揮発性メモリ５６に記録されている基本動画画質設定で動画の記録を開始する。
【００６２】
Ｓ５０４において、システム制御部５０は、動画撮影の終了指示があったか否かを判定する。終了指示があった場合は、処理はＳ５０５へ進み、なかった場合は動画の撮影を継続する。なお、動画撮影の終了指示とは、再度動画ボタン６３が押下されたり、再生モードなどの他のモードに移行する操作である。Ｓ５０５において、システム制御部５０は、動画の記録を終了し、当該動画の記録によって記録媒体２００に生成された動画ファイルをクローズする処理などの動画記録終了処理を行い、動画ボタン撮影処理を終了する。
【００６３】
このように、動画ボタン６３の操作による動画撮影では、現在の静止画記録モードが画像効果処理を必要とするモードであるかどうかが判定される。そして、現在の静止画記録モードが画像効果処理を必要とするモードである場合には、動画用にユーザが設定した基本動画画質ではなく、静止画記録のアスペクト比に合わせた静止画アスペクト比に対応した修正動画画質で動画が記録される。これによって、ユーザスルー画像を見ながら設定した画像効果位置に対して、記録された動画のアスペクト比がスルー画像と異なるために画像効果がかけられている位置が不自然になるといったことを防ぐことができる。
【００６４】
［動画記録モード処理］
図６に、動画記録モード処理のフローチャートを示す。以下で説明する動画記録モード処理は前述の図２におけるＳ２０６の処理の詳細である。この処理における各処理は、システム制御部５０が不揮発性メモリ５６等に格納されたプログラムをシステムメモリ５２に展開して実行することにより実現される。
【００６５】
まず、Ｓ６０１において、システム制御部５０は、表示部２８にスルー表示を行う。Ｓ６０２において、システム制御部５０は、ユーザによる基本動画画質設定の変更操作があったか否かを判定する。この処理は前述した図３ＡのＳ３１１と同様の処理である。基本動画画質設定の変更操作があった場合、処理はＳ６０３に進み、そうでない場合はＳ６０４に進む。Ｓ６０３において、システム制御部５０は、基本動画画質設定の変更操作に応じて基本動画画質設定を変更し、変更後の基本動画画質設定を不揮発性メモリ５６に記録する。
【００６６】
Ｓ６０４において、システム制御部５０は、動画記録指示があったか否かを判定する。動画記録指示があった場合には処理はＳ６０５に進み、なかった場合には処理はＳ６０８に進む。動画記録指示はシャッターボタン６１あるいは動画ボタン６３の操作によって行われる。Ｓ６０８では、動画記録モードの終了操作（他のモードへの変更操作、電源オフなどの操作）があったか否かを判定する。終了操作が無かった場合は、処理はＳ６０１へもどり、終了操作があった場合は本動画記録モード処理を終了する。
【００６７】
Ｓ６０５において、システム制御部５０は、不揮発性メモリに記録された基本動画画質設定で動画の記録を開始する。Ｓ６０６において、システム制御部５０は、動画の記録の終了指示があったか否かを判定する。終了指示がなかった場合は動画の記録（撮影）を継続し、終了指示があった場合はＳ６０７に進む。Ｓ６０７において、システム制御部５０は、動画の記録を終了し、当該動画の記録によって記録媒体２００に生成された動画ファイルをクローズする処理などの動画記録終了処理を行う。その後、処理は、Ｓ６０１へ戻る。
【００６８】
次に、図７を用いて、上述した実施形態による効果について説明する。
【００６９】
図７（ａ）に、静止画アスペクト比を４：３、基本動画画質設定をＨＤ画質（１６：９）としていた場合に、上記実施形態を適用せずに、ジオラマ風モードでスルー表示（ＥＶＦ表示）を行った場合の表示例と、記録される静止画像と動画像の模式図を示す。この場合、ユーザは、４：３のスルー画像を見ながらジオラマ風モードの画像効果位置を調整する。そして、静止画撮影を行った場合は４：３の静止画が記録され、ジオラマ風モードでの画像効果処理はユーザが意図した領域に施される。しかしながら、ジオラマ風モードで動画ボタン６３の操作によって動画撮影を行った場合には記録される動画は１６：９となる。この場合、４：３の時の画像効果位置に対応する位置とはいえ、１６：９における画像効果位置は、４：３のスルー画像を見ながら設定した時のユーザの印象とは異なる位置になってしまう。特に、４：３のスルー画像において最下部の位置を画像効果位置にしていた場合、１６：９の動画ではスルー画像のときに見えていた最下部の被写体が欠けるため、ユーザの印象の違いはより顕著である。
【００７０】
これに対し、上記実施形態の構成を適用した場合を図７（ｂ）、図７（ｃ）に示す。
【００７１】
図７（ｂ）に、静止画アスペクト比を４：３、基本動画画質設定をＨＤ画質（１６：９）としていた場合に、本実施形態を適用して、ジオラマ風モードでスルー表示（ＥＶＦ表示）行った場合の表示例と、記録される静止画像と動画像の模式図を示す。この場合、ユーザは４：３のスルー画像を見ながらジオラマ風モードの画像効果位置を調整する。そして、静止画撮影を行った場合は４：３の静止画が記録され、ジオラマ風モードでの画像効果処理はユーザが意図した領域に施される。さらに、ジオラマ風モードで動画ボタン６３の操作によって動画撮影を行った場合にも、記録される動画は４：３のアスペクト比となるので、スルー画像を見ながら設定した時のユーザの意図と同じ位置に画像効果処理を施した動画が記録される。
【００７２】
図７（ｃ）に、静止画アスペクト比を１６：９、基本動画画質設定をＳＤ画質（４：３）としていた場合に、本実施形態を適用して、ジオラマ風モードでスルー表示（ＥＶＦ表示）行った場合の表示例と、記録される静止画像と動画像の模式図を示す。この場合、ユーザは１６：９のスルー画像を見ながらジオラマ風モードの画像効果位置を調整する。そして、静止画撮影を行った場合は１６：９の静止画が記録され、ジオラマ風モードでの画像効果処理はユーザが意図した領域に施される。さらに、ジオラマ風モードで動画ボタン６３の操作によって動画撮影を行った場合にも、記録される動画は１６：９のアスペクト比となるので、スルー画像を見ながら設定した時のユーザの意図と同じ位置に画像効果処理を施した動画が記録される。
【００７３】
以上説明したように、本実施形態によれば、ユーザが指定した位置に基づいて行う画像効果処理を施す撮影モードにおいて、静止画でも動画でも、ユーザの意図したとおりの位置に画像効果処理を施すことが可能となる。
【００７４】
上記実施形態では、第１の記録動作としての静止画記録モードにおける静止画撮影（Ｓ３２５）のために第１のアスペクト比が、第２の記録動作としての静止画記録モードにおける動画撮影（Ｓ３２０）のために第２のアスペクト比が設定されている。これらアスペクト比は、第１の設定処理（Ｓ３１７）や第２の設定処理（Ｓ６０３）によって、個別に、独立して設定されるものである。そして、第２の記録動作において、位置指定付き画像効果処理を伴う撮影によって実行する際には、第１の記録動作に設定された第１のアスペクト比と一致するように動画記録画質を変更してる。しかしながら、本発明は、このような構成に限られるものではない。例えば、動画記録モードにおいて静止画記録を行うときに、位置指定付き画像効果処理を伴う撮影が指定されている場合には静止画記録のアスペクト比を動画記録のアスペクト比と一致するように設定するものとしてもよい。この場合、第１の記録モードを動画記録モードにおける動画撮影、第２の記録モードを動画記録モードにおける静止画撮影とした構成となる。すなわち、第１の記録モードと第２の記録モードは、個別にアスペクト比を設定可能な複数種類の記録動作のうちから選択されたものであればよい。
【００７５】
なお、システム制御部５０の制御は１つのハードウェアが行ってもよいし、複数のハードウェアが処理を分担することで、装置全体の制御を行ってもよい。
【００７６】
また、本発明をその好適な実施形態に基づいて詳述してきたが、本発明はこのような特定の実施形態に限られるものではなく、この発明の要旨を逸脱しない範囲の様々な形態も本発明に含まれる。
【００７７】
また、上述した実施形態においては、本発明をデジタルカメラに適用した場合を例にして説明したが、これはこの例に限定されず、動画と静止画との撮影が可能な撮像装置であれば適用可能である。すなわち、本発明はデジタルカメラ、デジタル一眼レフカメラ、デジタルビデオカメラ、カメラ付きＰＤＡ、カメラ付き携帯電話端末、カメラ付き音楽プレーヤー、カメラ付きゲーム機、カメラ付き電子ブックリーダーなどに適用可能である。
【００７８】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１Ａ】
0005658580.tif 000002
【図１Ｂ】
0005658580.tif 000003
【図２】
0005658580.tif 000004
【図３Ａ】
0005658580.tif 000005
【図３Ｂ】
0005658580.tif 000006
【図４】
0005658580.tif 000007
【図５】
0005658580.tif 000008
【図６】
0005658580.tif 000009
【図７】
0005658580.tif 000010